(57)【要約】【課題】用紙の搬送方向の座屈を防止し、ジャムや供給不良を抑制する記録媒体供給装置及び画像形成装置を提供する。【解決手段】給紙装置１８は、用紙２０を搬送するフィードローラ２８と、フィードローラ２８と接触し、フィードローラ２８との間に接触部８０を形成し、この接触部８０に用紙２０を挟んで捌くリタードローラ２６と、フィードローラ２８とリタードローラ２６との接触部８０より用紙の搬送方向上流側に設けられ、用紙の搬送方向の座屈を防止する変形部材６６とを有する。【選択図】図２
2008195513.tif 000002
【特許請求の範囲】
【請求項１】
記録媒体を搬送する搬送部材と、
前記搬送部材と接触し、前記搬送部材との間に接触部を形成し、この接触部に記録媒体を挟んで捌く捌き部材と、
前記搬送部材と前記捌き部材との接触部より記録媒体の搬送方向上流側に設けられ、記録媒体の搬送方向の座屈を防止する座屈防止手段と、
を有する記録媒体供給装置。
【請求項２】
前記座屈防止手段は、記録媒体の搬送方向と直交する方向以外の方向に記録媒体を変形させる変形部材を有する請求項１に記載の記録媒体供給装置。
【請求項３】
前記変形部材は用紙の搬送と共に回転する請求項２に記載の記録媒体供給装置。
【請求項４】
前記搬送部材は第１の支持軸と、この第１の支持軸に支持され、前記第１の支持軸の中心を中心とする円周面を有する少なくとも１つの第１の本体部とを有し、前記捌き部材は第２の支持軸と、この第２の支持軸に支持され、前記第２の支持軸の中心を中心とする円周面を有する少なくとも１つの第２の本体部とを有し、前記変形部材は前記第１の支持軸及び第２の支持軸の少なくとも一方に設けられている請求項２又は３に記載の記録媒体供給装置。
【請求項５】
前記変形部材は前記第１の本体部及び第２の本体部よりも大きい円周面を有する請求項４に記載の記録媒体供給装置。
【請求項６】
記録媒体の座屈を検出する検出手段と、前記検出手段の検出結果に応じて前記変形部材を記録媒体に接触する位置と記録媒体から離れる位置とに移動するように制御する制御手段と、を有する請求項２乃至５いずれか記載の記録媒体供給装置。
【請求項７】
前記検出手段が所定量の座屈を検出した場合、前記制御手段は次に印刷する前までに前記変形部材を予め記録媒体に接触する位置まで移動させるように制御する請求項６に記載の記録媒体供給装置。
【請求項８】
前記検出手段が所定量の座屈を検出した場合、前記制御手段は記録媒体の供給を停止し、記録媒体の供給が停止後に前記変形部材を記録媒体に接触する位置まで移動させるように制御する請求項６に記載の記録媒体供給装置。
【請求項９】
像形成手段と、
前記像形成手段に対して記録媒体を搬送する搬送部材と、前記搬送部材と接触し、前記搬送部材との間に接触部を形成し、この接触部に記録媒体を挟んで捌く捌き部材と、前記搬送部材と前記捌き部材との接触部より記録媒体の搬送方向上流側に設けられ、記録媒体の搬送方向の座屈を防止する座屈防止手段とを有する記録媒体供給装置と、
を有する画像形成装置。
【請求項１０】
記録媒体に関する情報を入力する入力手段と、前記入力手段を介して入力された記録媒体に関する情報に応じて前記変形部材を記録媒体に接触する位置と記録媒体から離れる位置とに移動させるように制御する制御手段と、を有する請求項９に記載の画像形成装置。
【発明の詳細な説明】
【技術分野】
【０００１】
本発明は、記録媒体供給装置、及びこの記録媒体供給装置を有する画像形成装置に関するものである。
【背景技術】
【０００２】
画像形成装置等の記録媒体供給装置においては、搬送部材と捌き部材とを有し、積層された記録媒体を捌きながら供給するものが知られている。例えば特許文献１は、シート材を給送する方向に回転する搬送部材と、シート材の給送方向と逆方向に回転しかつ搬送部材に接触自在に変位する分離部材とを有するシート材分離給送装置において、搬送部材と分離部材とのシート材給送方向下流側にシート材検知手段を配設すると共に、搬送部材に接離自在に変位しかつシート材を給送する方向に回転する方向に回転する送り部材を配設して、検知手段によってシート材が検知されない場合は、搬送部材と分離部材とを非接触状態にすると同時に搬送部材と送り部材とを接触状態にし、検知手段によってシート材が検知された場合は、搬送部材と分離部材とを接触状態にすると同時に搬送部材と送り部材とを非接触状態にするように構成したシート材分離給送装置を開示する。
【０００３】
【特許文献１】特公平８−２５６５７号公報
【発明の開示】
【発明が解決しようとする課題】
【０００４】
本発明の目的は、記録媒体の搬送方向の座屈を防止し、記録媒体のジャムや供給不良を抑制する記録媒体供給装置及び画像形成装置を提供することにある。
【課題を解決するための手段】
【０００５】
請求項１に係る発明は、記録媒体を搬送する搬送部材と、前記搬送部材と接触し、前記搬送部材との間に接触部を形成し、この接触部に記録媒体を挟んで捌く捌き部材と、前記搬送部材と前記捌き部材との接触部より記録媒体の搬送方向上流側に設けられ、記録媒体の搬送方向の座屈を防止する座屈防止手段と、を有する記録媒体供給装置である。
【０００６】
請求項２に係る発明は、前記座屈防止手段は、記録媒体の搬送方向と直交する方向以外の方向に記録媒体を変形させる変形部材を有する請求項１に記載の記録媒体供給装置である。
【０００７】
請求項３に係る発明は、前記変形部材は用紙の搬送と共に回転する請求項２に記載の記録媒体供給装置である。
【０００８】
請求項４に係る発明は、前記搬送部材は第１の支持軸と、この第１の支持軸に支持され、前記第１の支持軸の中心を中心とする円周面を有する少なくとも１つの第１の本体部とを有し、前記捌き部材は第２の支持軸と、この第２の支持軸に支持され、前記第２の支持軸の中心を中心とする円周面を有する少なくとも１つの第２の本体部とを有し、前記変形部材は前記第１の支持軸及び第２の支持軸の少なくとも一方に設けられている請求項２又は３に記載の記録媒体供給装置である。
【０００９】
請求項５に係る発明は、前記変形部材は前記第１の本体部及び第２の本体部よりも大きい円周面を有する請求項４に記載の記録媒体供給装置である。
【００１０】
請求項６に係る発明は、記録媒体の座屈を検出する検出手段と、前記検出手段の検出結果に応じて前記変形部材を記録媒体に接触する位置と記録媒体から離れる位置とに移動するように制御する制御手段と、を有する請求項２乃至５いずれか記載の記録媒体供給装置。
【００１１】
請求項７に係る発明は、前記検出手段が所定量の座屈を検出した場合、前記制御手段は次に印刷する前までに前記変形部材を予め記録媒体に接触する位置まで移動させるように制御する請求項６に記載の記録媒体供給装置である。
【００１２】
請求項８に係る発明は、前記検出手段が所定量の座屈を検出した場合、前記制御手段は記録媒体の供給を停止し、記録媒体の供給が停止後に前記変形部材を記録媒体に接触する位置まで移動させるように制御する請求項６に記載の記録媒体供給装置である。
【００１３】
請求項９に係る発明は、像形成手段と、前記像形成手段に対して記録媒体を搬送する搬送部材と、前記搬送部材と接触し、前記搬送部材との間に接触部を形成し、この接触部に記録媒体を挟んで捌く捌き部材と、前記搬送部材と前記捌き部材との接触部より記録媒体の搬送方向上流側に設けられ、記録媒体の搬送方向の座屈を防止する座屈防止手段とを有する記録媒体供給装置と、を有する画像形成装置である。
【００１４】
請求項１０に係る発明は、記録媒体に関する情報を入力する入力手段と、前記入力手段を介して入力された記録媒体に関する情報に応じて前記変形部材を記録媒体に接触する位置と記録媒体から離れる位置とに移動させるように制御する制御手段と、を有する請求項９に記載の画像形成装置である。
【発明の効果】
【００１５】
請求項１に係る発明によれば、搬送部材と送り部材との間に記録媒体が進入した後に重送された記録媒体を分離部材により給送方向と反対方向に戻すものと比較して、記録媒体の搬送方向の座屈がより防止され、記録媒体のジャムや供給不良を抑制することができる記録媒体供給装置を提供することができる。
【００１６】
請求項２に係る発明によれば、請求項１に係る発明の効果に加えて、記録媒体の搬送方向の座屈を確実に防止することができる。
【００１７】
請求項３に係る発明によれば、請求項２に係る発明の効果に加えて、記録媒体に与えるストレスを小さくすることができる。
【００１８】
請求項４に係る発明によれば、請求項２又は３に係る発明の効果に加えて、第１の支持軸又は第２の支持軸と変形部材を支持する軸とを兼ねることができ、簡易な構成とすることができる。
【００１９】
請求項５に係る発明によれば、請求項４に係る発明の効果に加えて、本構成を有していない場合と比較し、記録媒体をより確実に変形させることができる。
【００２０】
請求項６に係る発明によれば、請求項２乃至５いずれかに係る発明の効果に加えて、記録媒体の座屈に応じて記録媒体を変形させることができる。
【００２１】
請求項７に係る発明によれば、請求項６に係る発明の効果に加えて、座屈が所定量に達した場合のみ記録媒体を変形させることにより、記録媒体及び変形部材の摩耗を抑制することができる。
【００２２】
請求項８に係る発明によれば、請求項６に係る発明の効果に加えて、記録媒体の供給を停止することで、記録媒体の座屈を確実に解消させることができる。
【００２３】
請求項９に係る発明によれば、搬送部材と送り部材との間に記録媒体が進入した後に重送された記録媒体を分離部材により給送方向と反対方向に戻すものと比較して、記録媒体の搬送方向の座屈がより防止され、記録媒体のジャムや供給不良を抑制することができる画像形成装置を提供することができる。
【００２４】
請求項１０に係る発明によれば、座屈の発生が予想される記録媒体のみ変形させることができる。
【発明を実施するための最良の形態】
【００２５】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の記録媒体供給装置の一例である給紙装置１８、１８が配置されている。
【００２６】
それぞれの給紙装置１８は、記録媒体の一例である用紙２０が積層されて収納される給紙カセット２２を有する。給紙カセット２２の奥端近傍上部にはピックアップローラ２４が配置され、このピックアップローラ２４の用紙搬送方向上流側に捌き部材の一例であるリタードローラ２６及び搬送部材の一例であるフィードローラ２８が配置されている。これらピックアップローラ２４、リタードローラ２６及びフィードローラ２８は、画像形成装置本体１２に設けられていてもよし、給紙カセット２２に設けられていてもよい。
【００２７】
主搬送路３２は、フィードローラ２８から排出口３４までの用紙通路であり、この主搬送路３２は、画像形成装置本体１２の裏側（図１の右側面）近傍にあって、最下端の給紙装置１８から後述する定着装置３６まで略鉛直に形成されている部分を有する。この主搬送路３２の定着装置３６の用紙搬送方向上流側に後述する転写装置４２と像保持体４４が配置され、さらに転写装置４２と像保持体４４の用紙搬送方向上流側にレジストローラ３８が配置されている。さらに、主搬送路３２の排出口３４の近傍には排出ローラ４０が配置されている。
【００２８】
したがって、給紙装置１８の給紙カセット２２からピックアップローラ２４により送り出された用紙２０は、リタードローラ２６及びフィードローラ２８の協働により捌かれて最上部の用紙のみ主搬送路３２に導かれ、レジストローラ３８により一時停止され、タイミングをとって後述する転写装置４２と像保持体４４との間を通って現像剤像が転写され、この転写された現像剤像が定着装置３６により定着され、排出ローラ４０により排出口３４から排出部１６へ排出される。
【００２９】
ただし、両面印刷の場合は、反転路に戻される。即ち、主搬送路３２の排出ローラ４０の手前は二股に分かれ、その分かれた部分に切換装置４６が設けられていると共に、分けられた部分からレジストローラ３８まで戻る反転路４８が形成されている。この反転路４８には搬送ロール５０ａ〜５０ｃが設けられており、両面印刷の場合には、切換装置４６が反転路４８を開く側に切り換えられ、排出ローラ４０に用紙の後端手前がかかる時点で排出ローラ４０が反転し、用紙が反転路４８に導かれ、レジストローラ３８、転写装置４２と像担持体４４及び定着装置３６を通って排出口３４から排出部１６へ排出されるものである。
【００３０】
排出部１６は、画像形成装置本体１２に対して回転自在の傾斜部５２を有する。この傾斜部５２は、排出口部分が低く、正面方向（図１の左方向）に向けて徐々に高くなるよう傾斜しており、排出口部分を下端とし、高くなった先端を上端としている。この傾斜部５２は下端を中心に回転自在であるよう画像形成装置本体１２に支持されている。図１で２点鎖線で示すように、傾斜部５２を上方に回転して開いたときには、開放部５４が形成され、この開放部５４を介して後述するプロセスカートリッジ６４が脱着できるようにしてある。
【００３１】
像形成手段１４は、例えば電子写真方式のもので、感光体からなる像保持体４４と、この像保持体４４を帯電する例えば帯電ロールからなる帯電装置５６と、帯電装置５６により帯電された像保持体４４に、光により潜像を書き込む光書込み装置５８と、この光書込み装置５８により形成された像保持体４４の潜像を現像剤により可視化する現像装置６０と、この現像装置６０による現像剤像を用紙２０に転写する例えば転写ロールからなる転写装置４２と、像保持体４４に残存する現像剤をクリーニングする例えばブレードからなるクリーニング装置６２と、転写装置４２により転写された用紙２０上の現像剤像を用紙２０に定着させる定着装置３６とから構成されている。
【００３２】
プロセスカートリッジ６４は、像保持体４４、帯電装置５６、現像装置６０及びクリーニング装置６２を一体化したものである。このプロセスカートリッジ６４は、排出部１６の傾斜部５２に直近下方に配置されており、前述したように、傾斜部５２を開いたときに形成される開放部５４を介して着脱される。
【００３３】
制御部３０は、画像形成装置本体１２に配設され、給紙装置１８、後述するモータ９６及び変位センサ９８等の各構成要素に電気的に接続されており、これら各構成要素の動作を制御するようになっている。
【００３４】
入力手段の一例であるユーザインターフェイス装置３１は、画像形成装置本体１２と一体に、又はネットワークを介して設けられ、制御部３０に電気的に接続されている。このユーザインターフェイス装置３１には表示パネル３１ａ及び入力ボタン３２ｂ等が設けられており画像形成装置１０の処理内容を選択し、かつ表示するようになっている。
【００３５】
次に給紙装置１８の詳細を図２に基づいて説明する。
図２に示すように、給紙装置１８はフィードローラ２８、リタードローラ２６及び座屈防止手段の一例である変形部材６６を有する。
【００３６】
フィードローラ２８は、画像形成装置本体１２に回転自在に支持された第１の支持軸６８と、該第１の支持軸６８に支持された２つの第１の本体部７０，７０とを有している。２つの第１の本体部７０，７０は、第１の支持軸６８の中心を中心とする円周面７０ａ，７０ａを有し、所定の間隔だけ離れて配置されている。第１の支持軸６８の一端部にはギア７２が設けられており、ギア７２は駆動源（図示省略）に接続されている。
【００３７】
変形部材６６は、フィードローラ２８とリタードローラ２６との接触部８０より用紙の搬送方向上流側に設けられている。より具体的には、変形部材６６は、２つの第１の本体部７０，７０の間に配置されており、第１の支持軸６８に回転自在に設けられている。この変形部材６６は、円筒形状に形成されており、第１の本体部７０，７０より大きい円周面６６ａを有している。ボス部６６ｂは、変形部材６６の回転中心部に設けられており、該変形部材６６の両端面から突出する円筒形状に形成されている。このボス部６６ｂは、所定の長さに形成されており、変形部材６６の軸方向の移動を規制するようになっている。
【００３８】
リタードローラ２６は、画像形成装置本体１２に回転自在に支持された第２の支持軸７４と、該第２の支持軸７４に支持された２つの第２の本体部７６，７６とを有している。第２の本体部７６，７６は、第２の支持軸７４の中心を中心とする円周面７６ａ，７６ａを有している。この第２の本体部７６，７６は、フィードローラ２８の第１の本体部７０，７０と対峙する位置に設けられている。フィードローラ２８の第１の本体部７０，７０とリタードローラ２６の第２の本体部７６，７６との間には接触部８０が形成され、リタードローラ２６はフィードローラ２８から回転力を受けて従動回転するようになっている。
【００３９】
第２の支持軸７４の一端部にはギア７８が設けられており、ギア７８はトルクリミッタ（図示省略）に連結されている。したがって、用紙２０がフィードローラ２８の第１の本体部７０，７０とリタードローラ２６の第２の本体部７６，７６との接触部８０に２枚以上案内された場合には、トルクリミッタに設定されたトルクと比較し、用紙間の摩擦力が小さいため、リタードローラ２６の第２の本体部７６，７６は逆回転し、フィードローラ２６の第１の本体部７０，７０に接触している用紙以外は用紙搬送方向と反対側に戻される。このように、リタードローラ２６は、フィードローラ２８と接触し、フィードローラ２８との間に接触部８０を形成し、この接触部８０に用紙２０を挟んで捌くようになっている。
なお、用紙２０がフィードローラ２８の第１の本体部７０，７０とリタードローラ２６の第２の７６，７６との接触部８０に２枚以上案内された場合、リタードローラ２６の第２の本体部７６，７６の回転が停止するように構成されていてもよい。
【００４０】
変形部材６６は、給紙カセット２２からピックアップローラ２４により送り出された用紙２０と接触し、用紙２０の搬送と共に回転する。これにより、変形部材６６は、フィードローラ２８とリタードローラ２６との接触部８０より用紙搬送方向上流側で、用紙２０を用紙搬送方向と直交する方向以外の方向、例えば用紙搬送方向からみて凹状に変形させる。
【００４１】
なお、変形部材６６は、第２の支持軸７４に設けられていてもよい。また、リタードローラ２６の代わりに例えば回転しない摩擦部材等を用いてもよい。
【００４２】
次に本発明の第２の実施形態を図３に基づいて説明する。
本実施形態におけるフィードローラ２８は、画像形成装置本体１２に回転自在に支持された第１の支持軸６８と、該第１の支持軸６８に支持された第１の本体部７０とを有している。２つの変形部材６６，６６は、第１の本体部７０の両端部と画像形成装置本体１２，１２との間にそれぞれ配置されており、第１の支持軸６８に回転自在に支持されている。また、変形部材６６，６６は、円筒形状に形成されており、第１の本体部７０より大きい円周面６６ａ，６６ａを有している。
【００４３】
リタードローラ２６は、画像形成装置本体１２に回転自在に支持された第２の支持軸７４と、該第２の支持軸７４に支持された第２の本体部７６とを有している。第２の本体部７６は、フィードローラ２８の第１の本体部７０と対峙する位置に設けられている。フィードローラ２８の第１の本体部７０とリタードローラ２６の第２の本体部７６との間には接触部８０が形成され、リタードロー２６はフィードローラ２８から回転力を受けて従動回転するようになっている。
【００４４】
変形部材６６，６６は、給紙カセット２２からピックアップローラ２４により送り出された用紙２０と接触し、用紙２０の搬送と共に回転する。これにより、変形部材６６，６６は、フィードローラ２８とリタードローラ２６との接触部８０より用紙搬送方向上流側で、用紙２０を用紙搬送方向と直交する方向以外の方向、例えば用紙搬送方向からみて凸状に変形させる。
なお、変形部材６６，６６は第２の支持軸７４に設けられていてもよい。
【００４５】
なお、本発明の第２の実施形態の説明においては、本発明の第１の実施形態と同一部分について図面に同一番号を付してその説明は省略した。
【００４６】
次に本発明の第３の実施形態を図４に基づいて説明する。
本実施形態におけるフィードローラ２８は、第１の支持軸６８と、該第１の支持軸６８に支持された２つの第１の本体部７０，７０と有している。２つの第１の本体部７０，７０間の距離は、第１の実施形態の２つの第１の本体部７０，７０間の距離よりも広くなっている。２つの変形部材６６，６６は、第１の支持軸６８に回転自在に支持され、第１の支持軸６８の中心より第１の本体部７０，７０に近い位置にそれぞれ配置されている。スペーサ８２は、円筒形状に形成され、２つの変形部材６６，６６の間に設けられており、２つの変形部材６６，６６の軸方向の移動を規制している。
【００４７】
変形部材６６，６６は、給紙カセット２２からピックアップローラ２４により送り出された用紙２０と接触し、用紙２０の搬送と共に回転する。これにより、変形部材６６は、フィードローラ２８とリタードローラ２６との接触部８０より用紙搬送方向上流側で、用紙２０を用紙搬送方向と直交する方向以外の方向、例えば用紙搬送方向からみて凹状に変形させる。
なお、変形部材６６，６６及びスペーサ８２は、第２の支持軸７４に設けられていてもよい。
【００４８】
なお、本発明の第３の実施形態の説明においては、本発明の第１の実施形態と同一部分について図面に同一番号を付してその説明は省略した。
【００４９】
次に本発明の第４の実施形態を図５乃至１１に基づいて説明する。
本実施形態におけるリタードローラ２６は、２つの第２の本体部７６，７６と、２つの第２の支持軸７４，７４とを有する。２つの支持軸７４，７４は、断面形状が略Ｕ字状に形成された２つの本体フレーム８４，８４にそれぞれ回転自在に設けられており、２つの第２の本体部７６，７６は、２つの支持軸７４，７４にそれぞれ支持されている。
【００５０】
図６にも示すように、変形部材移動装置８６は、変形部材６６、レバー部８８、第１のギア９０、支持軸９２、第２のギア９４及びモータ９６を有する。変形部材６６は、レバー部８８の一方の端部に回転自在に設けられており、レバー部８８の他方の端部には第１のギア９０が固定されている。第１のギア９０は、画像形成装置本体１２に設けられた回転軸９２に回転自在に設けられている。モータ９４は、正回転及び逆回転可能に構成されており、該モータ９４の出力軸には第２のギア９４が固定されている。第２のギア９４は、第１のギア９０と噛合う位置に配置されている。
【００５１】
図７（ａ）に示すように、モータ９６の第２のギア９４が正回転（図７（ａ）の矢印Ａ方向に回転）すると、レバー部８８は第２のギア９４と共に回転軸９２を支点として図７（ａ）の矢印Ｂ方向に回転する。これにより、変形部材６６は、用紙２０から離れる位置に移動する。また、図７（ｂ）に示すように、モータ９６の第２のギア９４が逆回転（図７（ｂ）の矢印Ｃ方向に回転）すると、レバー部８８は第２のギア９４と共に回転軸９２を支点として図７（ｂ）の矢印Ｄ方向に回転する。これにより、変形部材６６は、用紙２０と接触する位置に移動する。
【００５２】
検出手段の一例である変位センサ９８は、フィードローラ２８とリタードローラ２６との接触部８０より用紙搬送方向の上流側に配置されており、発光素子及び受光素子を有している。変位センサ９８は、発光素子から光を用紙２０に照射し、反射光を受光素子で受光することで、図１１に示すような用紙２０の座屈を検出するようになっている。変位センサ９８は、制御部３０に電気的に接続されており、用紙２０の座屈、すなわち用紙２０の変位量（例えば図１１のＬ）を制御部３０に出力するようになっている。なお、図１１に示すように、用紙２０の座屈は、用紙間の密着力が高く、用紙の坪量が小さいときに発生しやすいことが知られている。
【００５３】
制御部３０は、後述するように、変位センサ９８の検出結果に応じて変形部材６６を用紙２０に接触する位置と、用紙２０から離れる位置とに移動するように制御するようになっている。
【００５４】
次に、給紙装置１８の動作の一例を図８に基づいて説明する。
図８には、給紙装置１８の動作（Ｓ１０）の一例が示されている。
【００５５】
図８に示すように、ステップ１００（Ｓ１００）において、制御部３０は給紙装置１８及び像形成手段１４等を動作させ、印刷を開始する。
【００５６】
ステップ１０２（Ｓ１０２）において、変位センサ９８は、用紙２０の座屈を検出し、検出結果を制御部３０に対して出力する。
【００５７】
ステップ１０４（Ｓ１０４）において、制御部３０は、変位センサ９８の検出結果に基づいて用紙２０の座屈が所定量の範囲内か否かを判定する。制御部３０は、用紙２０の座屈が所定の範囲内と判定した場合には、給紙装置１８における用紙の供給を継続させ、用紙２０の座屈が所定の範囲を超えていると判定した場合にはステップ１０６（Ｓ１０６）の処理に移行する。
【００５８】
ステップ１０６（Ｓ１０６）において、制御部３０は、給紙装置１８による用紙２０の供給を停止、すなわちピックアップローラ２４及びフィードローラ２８の動作を停止させる。
【００５９】
ステップ１０８（Ｓ１０８）において、制御部３０は、用紙２０の供給が停止後、モータ９６を駆動させ、変形部材６６を用紙２０に接触する位置まで移動させる。
【００６０】
ステップ１１０（Ｓ１１０）において、制御部３０は、給紙装置１８による用紙２０の供給を開始、すなわちピックアップローラ２４及びフィードローラ２８の動作を再度開始させる。このとき、変形部材６６は、用紙２０と接触し、用紙２０を用紙搬送方向と直交する方向以外の方向、例えば用紙搬送方向からみて凸状に変形させる。
【００６１】
次に、給紙装置１８の動作（Ｓ２０）の他の一例を図９に基づいて説明する。
【００６２】
図９に示すように、ステップ２００（Ｓ２００）において、制御部３０は給紙装置１８及び像形成手段１４等を動作させ、印刷を開始する。
【００６３】
ステップ２０２（Ｓ２０２）において、変位センサ９８は、用紙２０の座屈を検出し、検出結果を制御部３０に対して出力する。
【００６４】
ステップ２０４（Ｓ２０４）において、制御部３０は、変位センサ９８の検出結果に基づいて用紙２０の座屈が所定の範囲内か否かを判定する。制御部３０は、用紙２０の座屈が所定の範囲内と判定した場合には、給紙装置１８における用紙２０の供給を継続させ、用紙２０の座屈が所定の範囲を超えていると判定した場合にはステップ２０６（Ｓ２０６）の処理に移行する。
【００６５】
ステップ２０６（Ｓ２０６）において、制御部３０は、現在の印刷が終了後、モータ９６を駆動させ、変形部材６６を用紙２０に接触する位置まで移動させる。このように、制御部３０は、次に印刷する前までに変形部材６６を予め用紙２０に接触する位置まで移動させる。
【００６６】
ステップ２０８（Ｓ２０８）において、制御部３０は、次の印刷を行うために給紙装置１８による用紙２０の供給を開始、すなわちピックアップローラ２４及びフィードローラ２８の動作を開始させる。このとき、変形部材６６は、用紙２０と接触し、用紙２０を用紙搬送方向と直交する方向以外の方向、例えば用紙搬送方向からみて凸状に変形させる。
【００６７】
次に、給紙装置１８の動作（Ｓ３０）の他の一例を図１０に基づいて説明する。
【００６８】
図１０に示すように、ステップ３００（Ｓ３００）において、ユーザは、ユーザインターフェイス３１を介して、印刷する用紙２０に関する情報を入力する。例えば、ユーザは用紙２０に関する情報（例えば用紙の種別（コート紙、普通紙など）、坪量、厚み等）を入力する。
【００６９】
ステップ３０２（Ｓ３０２）において、制御部３０は、ユーザインターフェイス３１を介して入力された用紙に関する情報に基づいて座屈の発生が予想される用紙であるか否かを判定し、座屈の発生が予想されないと判定した場合にはステップ３０６（Ｓ３０６）の処理に移行し、座屈の発生が予想されると判定した場合にはステップ３０４（Ｓ３０４）の処理に移行する。例えば、制御部３０は、坪量が小さく、かつ用紙間の密着力が高くなるような用紙（例えば薄紙コート紙）である場合には座屈の発生が予想されると判定する。
【００７０】
ステップ３０４（Ｓ３０４）において、制御部３０は、モータ９６を駆動させ、変形部材６６を用紙２０に接触する位置まで移動させる。
【００７１】
ステップ３０６（Ｓ３０６）において、給紙装置１８による用紙２０の供給を開始、すなわちピックアップローラ２４及びフィードローラ２８の動作を開始させる。このとき、変形部材６６は、用紙２０と接触し、用紙２０を用紙搬送方向と直交する方向以外の方向、例えば用紙搬送方向からみて凸状に変形させる。
【００７２】
なお、本発明の第４の実施形態の説明においては、本発明の第１の実施形態と同一部分について図面に同一番号を付してその説明は省略した。
【図面の簡単な説明】
【００７３】
【図１】本発明の第１の実施形態に係る画像形成装置を示す側面図である。
【図２】本発明の第１の実施形態に係る給紙装置を示し、（ａ）は正面図、（ｂ）は（ａ）のＡ−Ａ線断面図である。
【図３】本発明の第２の実施形態に係る給紙装置を示し、（ａ）は正面図、（ｂ）は（ａ）のＢ−Ｂ線断面図である。
【図４】本発明の第３の実施形態に係る給紙装置を示し、（ａ）は正面図、（ｂ）は（ａ）のＣ−Ｃ線断面図である。
【図５】本発明の第４の実施形態に係る給紙装置を示し、（ａ）は正面図、（ｂ）は（ａ）のＤ−Ｄ線断面図である。
【図６】本発明の第４の実施形態に係る給紙装置の側面図である。
【図７】本発明の第４の実施形態に係る給紙装置の動作を示し、（ａ）は変形部材が用紙から離れる位置に移動した状態、（ｂ）は変形部材が用紙に接触する位置に移動した状態を説明する図である。
【図８】本発明の第４の実施形態に係る給紙装置の動作（Ｓ１０）を説明するフローチャートである。
【図９】本発明の第４の実施形態に係る給紙装置の動作（Ｓ２０）を説明するフローチャートである。
【図１０】本発明の第４の実施形態に係る給紙装置の動作（Ｓ３０）を説明するフローチャートである。
【図１１】用紙の座屈を説明する図である。
【符号の説明】
【００７４】
１０  画像形成装置
１４  像形成手段
１８  給紙装置
２０  用紙
２６  リタードローラ
２８  フィードローラ
３０  制御部
３１  ユーザインターフェイス装置
６６  変形部材
６６ａ  円周面
６８  第１の支持軸
７０  第１の本体部
７０ａ  円周面
７４  第２の支持軸
７６  第２の本体部
７６ａ  円周面
８０  接触部
９８  変位センサ
【図１】
2008195513.tif 000003
【図２】
2008195513.tif 000004
【図３】
2008195513.tif 000005
【図４】
2008195513.tif 000006
【図５】
2008195513.tif 000007
【図６】
2008195513.tif 000008
【図７】
2008195513.tif 000009
【図８】
2008195513.tif 000010
【図９】
2008195513.tif 000011
【図１０】
2008195513.tif 000012
【図１１】
2008195513.tif 000013